(57)【特許請求の範囲】
【請求項１】
通信の方法であって、
非構造化付加サービスデータ（ＵＳＳＤ）ベースのメッセージが共通チャネルを使用して通信されることが可能であるかどうかを決定すること、および
前記ＵＳＳＤメッセージが共通チャネルを使用して通信されることが可能であると決定された場合、前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）が送ること、または
前記ＵＳＳＤメッセージが共通チャネルを使用して通信されることが可能ではないと決定された場合、トラフィックチャネルを使用して前記ＵＳＳＤベースのメッセージを送ること
を備える方法。
【請求項２】
前記情報エレメントが前記ＭＳによって成功裏に受信されたことを示す肯定応答を前記ＭＳＣから受信することをさらに備える、請求項１に記載の方法。
【請求項３】
前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとをさらに備える、請求項２に記載の方法。
【請求項４】
前記肯定応答は、前記ＵＳＳＤセッションをリリースするよう前記ＵＳＳＤ ＧＷに促すためのＵＳＳＤセッションリリース情報エレメントと、前記ＵＳＳＤセッションリリース情報エレメントの受信に応答して前記ＵＳＳＤセッションをリリースすることを含む、請求項２に記載の方法。
【請求項５】
前記送ることは、タイマを開始することをさらに備え、前記受信することは、前記タイマを停止することをさらに備える、請求項２に記載の方法。
【請求項６】
前記ＭＳについてのアドレスを求める要求をホームロケーションレジスタ（ＨＬＲ）に送ることと、前記ＭＳについての前記アドレスを含むメッセージを前記ＨＬＲから受信することとをさらに備える、請求項１に記載の方法。
【請求項７】
前記メッセージは、マシン・ツー・マシン（Ｍ２Ｍ）トリガリングメッセージである、請求項１に記載の方法。
【請求項８】
前記ＵＳＳＤベースのメッセージは、ＵＳＳＤデータバーストメッセージ（ＤＢＭ）であり、前記情報エレメントは、ＵＳＳＤ通知情報エレメントである、請求項１に記載の方法。
【請求項９】
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、請求項１に記載の方法。
【請求項１０】
前記情報エレメントのサイズが閾値サイズよりも小さいとき、前記ＵＳＳＤベースのメッセージが前記共通チャネルを使用して通信されることが可能であると決定することをさらに備える、請求項１に記載の方法。
【請求項１１】
前記ＵＳＳＤベースのメッセージが、前記共通チャネルを使用して通信されるべきかアクセスチャネルを使用して通信されるべきかを判定することをさらに備え、前記決定することは、前記判定に基づいて前記共通チャネルを使用すると決定することをさらに備える、請求項１に記載の方法。
【請求項１２】
通信のための装置であって、
非構造化付加サービスデータ（ＵＳＳＤ）ベースのメッセージが共通チャネルを使用して通信されることが可能であるかどうかを決定するための手段、および
前記ＵＳＳＤメッセージが共通チャネルを使用して通信されることが可能であると決定された場合、前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送るための手段、または
前記ＵＳＳＤメッセージが共通チャネルを使用して通信されることが可能ではないと決定された場合、トラフィックチャネルを使用して前記ＵＳＳＤベースのメッセージを送るための手段、
を備える装置。
【請求項１３】
実行されたとき、コンピュータに、請求項１乃至１１のうちのいずれか１項に記載の方法を実行させる命令を備えたコンピュータプログラム。
【発明の詳細な説明】
【優先権の主張】
【０００１】
[0001]  本特許出願は、本願の譲受人に譲渡され、参照により本明細書に明確に組み込まれる、２０１２年１０月１１日に出願された「METHODS AND APPARATUS FOR USING USSD OVER A COMMON CHANNEL」と題する米国特許仮出願第６１／７１２，５７４号の優先権を主張する。
【技術分野】
【０００２】
[0002]  本開示で説明される技術は一般に通信システムに関し、より具体的には、非構造化付加サービスデータ（ＵＳＳＤ）ベースのメッセージングオプションを改善することに関する。特定の実施形態は、メッセージが比較的小さいサイズであるシナリオを含む、改善されたＵＳＳＤベースのメッセージングオプションを提供および可能にする。
【背景技術】
【０００３】
[0003]  ワイヤレス通信ネットワークは、電話通信、ビデオ、データ、メッセージング、ブロードキャスト、等の、様々な通信サービスを提供するために広く展開されている。通常は多元接続ネットワークであるこのようなネットワークは、利用可能なネットワークリソースを共有することによって多数のユーザのための通信をサポートする。このようなネットワークの一例は、ＵＭＴＳ地上波無線アクセスネットワーク（ＵＴＲＡＮ）である。ＵＴＲＡＮは、第３世代パートナーシッププロジェクト（３ＧＰＰ）によってサポートされている第３世代（３Ｇ）モバイル電話技術である、ユニバーサルモバイル電気通信システム（ＵＭＴＳ）の一部として定義された無線アクセスネットワーク（ＲＡＮ）である。ＵＭＴＳは、モバイル通信のためのグローバルシステム（ＧＳＭ（登録商標））技術を受け継いだものであり、現在、広帯域−符号分割多元接続（Ｗ−ＣＤＭＡ（登録商標））、時分割−符号分割多元接続（ＴＤ−ＣＤＭＡ）、時分割−同期符号分割多元接続（ＴＤ−ＳＣＤＭＡ）のような様々なエアインターフェース規格をサポートしている。ＵＭＴＳはまた、より高いデータ転送速度および容量を関連ＵＭＴＳネットワークに提供する、高速パケットアクセス（ＨＳＰＡ）のような高度な３Ｇデータ通信プロトコルをサポートしている。
【０００４】
[0004]  ３ＧＰＰベースのアクセスネットワークで使用される別の形式の通信は、非構造化付加サービスデータ（ＵＳＳＤ）ベースのメッセージングである。ＵＳＳＤは、もともとはＧＳＭのために開発されたものである。ＵＳＳＤベースのメッセージングは、モバイル局（ＭＳ）のユーザおよびネットワークエンティティ（例えば、ＰＬＭＮ（public land mobile network））のアプリケーションが、ＭＳにおよび介在ネットワークエンティティに透過的な方法で通信することを可能にする。例えば、ｃｄｍａ２０００におけるマシン・ツー・マシン（Ｍ２Ｍ）トリガリングは、ＵＳＳＤを用いて行われうる。ＣＤＭＡ２０００におけるＵＳＳＤは、現在、トラフィックチャネルだけの使用を通してサポートされており、共通（例えば、ページング）チャネルを使用して通信されることができない。ショートメッセージサービス（ＳＭＳ）と同様に、ＵＳＳＤは、あるタイプのデータバーストメッセージ（ＤＢＭ）を使用する。トラフィックチャネルと共通チャネルとの間の切替は、ＳＭＳのためのペイロードのサイズに基づく。このようなプロセスは、現在、ＵＳＳＤに対しては可能ではない。このように、小さいメッセージ（例えば、Ｍ２Ｍトリガリング）がＵＳＳＤを使用して送られている場合であっても、トラフィックチャネル接続が使用されなければならない。
【発明の概要】
【０００５】
[0005]  説明される技術の基本的な理解を提供するために本開示のいくつかの態様の概要を以下に示す。この概要は、本開示のすべての考慮される特徴の広範な概観ではなく、本開示のすべての態様の重要なエレメントまたは決定的なエレメントを識別することも、本開示のいずれかのまたはすべての態様の適用範囲（scope）を線引きすることも目的としていない。その唯一の目的は、後に提示されるより詳細な説明への前置きとして、本開示の１つまたは複数の態様のいくつかの概念を概要の形式で提示することである。
【０００６】
[0006]  １つまたは複数の態様およびその対応する開示にしたがって、様々な態様が、ＵＳＳＤベースのメッセージングオプションを改善することに関連して説明される。一例では、ＵＳＳＤゲートウェイ（ＵＳＳＤ ＧＷ）は、ＵＳＳＤベースのメッセージが共通チャネルを使用して通信されることが可能であると決定し、共通チャネルを使用してメッセージの情報エレメントをモバイル局（ＭＳ）に通信するようモバイル交換センタ（ＭＳＣ）に促すサービスインジケータを有するＵＳＳＤベースのメッセージをＵＳＳＤセッションの一環としてＭＳＣに送る能力を備える。別の例では、ＭＳＣは、共通チャネルを使用して情報エレメントをＭＳに通信するようＭＳＣに促すサービスインジケータを含むＵＳＳＤベースのメッセージを受信し、情報エレメントが共通チャネルを使用して通信されるべきであることを決定し、共通チャネルを使用してＭＳに送信されるべき情報エレメントを基地局に送る能力を備える。さらに別の例では、ＭＳは、共通チャネルを使用して情報エレメントを有するＵＳＳＤベースのメッセージを受信し、情報エレメントを処理し、情報エレメントが成功裏に処理されたことを示す肯定応答を送信する能力を備える。
【０００７】
[0007]  関連態様によれば、ＵＳＳＤベースのメッセージングオプションを改善するための方法が提供される。方法は、ＵＳＳＤベースのメッセージが共通チャネルを使用して通信されることが可能であると決定することを含みうる。さらに、方法は、共通チャネルを使用してメッセージの情報エレメントをＭＳに通信するようＭＳＣに促すサービスインジケータを有するＵＳＳＤベースのメッセージをＵＳＳＤセッションの一環としてＭＳＣにＵＳＳＤ ＧＷが送ることを含みうる。
【０００８】
[0008]  別の態様は、ＵＳＳＤベースのメッセージングオプションを改善することが可能な通信装置に関する。通信装置は、ＵＳＳＤベースのメッセージが共通チャネルを使用して通信されることが可能であると決定するための手段を含みうる。さらに、通信装置は、共通チャネルを使用してメッセージの情報エレメントをＭＳに通信するようＭＳＣに促すサービスインジケータを有するＵＳＳＤベースのメッセージをＵＳＳＤセッションの一環としてＭＳＣにＵＳＳＤ ＧＷによって送るための手段を含みうる。
【０００９】
[0009]  別の態様は通信装置に関する。装置は、ＵＳＳＤベースのメッセージが共通チャネルを使用して通信されることが可能であると決定するように構成された処理システムを含みうる。さらに、処理システムは、共通チャネルを使用してメッセージの情報エレメントをＭＳに通信するようＭＳＣに促すサービスインジケータを有するＵＳＳＤベースのメッセージをＵＳＳＤセッションの一環としてＭＳＣにＵＳＳＤ ＧＷによって送るようにさらに構成されうる。
【００１０】
[0010]  さらに別の態様は、コンピュータ可読媒体を有しうるコンピュータプログラム製品に関し、このコンピュータ可読媒体は、ＵＳＳＤベースのメッセージが共通チャネルを使用して通信されることが可能であると決定するためのコードを含む。さらに、コンピュータ可読媒体は、共通チャネルを使用してメッセージの情報エレメントをＭＳに通信するようＭＳＣに促すサービスインジケータを有するＵＳＳＤベースのメッセージをＵＳＳＤセッションの一環としてＭＳＣにＵＳＳＤ ＧＷによって送るためのコードを含みうる。
【００１１】
[0011]  関連態様によれば、ＵＳＳＤベースのメッセージングオプションを改善するための方法が提供される。方法は、共通チャネルを使用して情報エレメントをＭＳに通信するようＭＳＣに促すサービスインジケータを含むＵＳＳＤベースのメッセージをＵＳＳＤ ＧＷからＭＳＣが受信することを含みうる。さらに、方法は、情報エレメントが共通チャネルを使用してＭＳに通信されるべきであると決定することを含みうる。さらに、方法は、共通チャネルを使用してＭＳに送信されるべき情報エレメントを基地局に送ることを含みうる。
【００１２】
[0012]  別の態様は、ＵＳＳＤベースのメッセージングオプションを改善することが可能な通信装置に関する。通信装置は、共通チャネルを使用して情報エレメントをＭＳに通信するようＭＳＣに促すサービスインジケータを含むＵＳＳＤベースのメッセージをＵＳＳＤ ＧＷからＭＳＣによって受信するための手段を含みうる。さらに、通信装置は、情報エレメントが共通チャネルを使用してＭＳに通信されるべきであると決定するための手段を含みうる。さらに、通信装置は、共通チャネルを使用してＭＳに送信されるべき情報エレメントを基地局に送るための手段を含みうる。
【００１３】
[0013]  別の態様は通信装置に関する。装置は、共通チャネルを使用して情報エレメントをＭＳに通信するようＭＳＣに促すサービスインジケータを含むＵＳＳＤベースのメッセージをＵＳＳＤ ＧＷからＭＳＣによって受信するように構成された処理システムを含みうる。さらに、処理システムは、情報エレメントが共通チャネルを使用してＭＳに通信されるべきであると決定するように構成されうる。さらに、処理システムは、共通チャネルを使用してＭＳに送信されるべき情報エレメントを基地局に送るようにさらに構成されうる。
【００１４】
[0014]  さらに別の態様は、コンピュータ可読媒体を有しうるコンピュータプログラム製品に関し、このコンピュータ可読媒体は、共通チャネルを使用して情報エレメントをＭＳに通信するようＭＳＣに促すサービスインジケータを含むＵＳＳＤベースのメッセージをＵＳＳＤ ＧＷからＭＳＣによって受信するためのコードを含む。さらに、コンピュータ可読媒体は、情報エレメントが共通チャネルを使用してＭＳに通信されるべきであると決定するためのコードを含みうる。さらに、コンピュータ可読媒体は、共通チャネルを使用してＭＳに送信されるべき情報エレメントを基地局に送るためのコードを含みうる。
【００１５】
[0015]  関連態様によれば、ＵＳＳＤベースのメッセージングオプションを改善するための方法が提供される。方法は、共通チャネルを使用して、情報エレメントを有するＵＳＳＤベースのメッセージをＭＳが受信することを含みうる。さらに、方法は、情報エレメントを処理することを含みうる。さらに、方法は、情報エレメントが成功裏に処理されたことを示す肯定応答を送信することを含みうる。
【００１６】
[0016]  別の態様は、ＵＳＳＤベースのメッセージングオプションを改善することが可能な通信装置に関する。通信装置は、共通チャネルを使用して、情報エレメントを有するＵＳＳＤベースのメッセージをＭＳによって受信するための手段を含みうる。さらに、通信装置は、情報エレメントを処理するための手段を含みうる。さらに、通信装置は、情報エレメントが成功裏に処理されたことを示す肯定応答を送信するための手段を含みうる。
【００１７】
[0017]  別の態様は通信装置に関する。装置は、共通チャネルを使用して、情報エレメントを有するＵＳＳＤベースのメッセージをＭＳによって受信するように構成された処理システムを含みうる。さらに、処理システムは、情報エレメントを処理するように構成されうる。さらに、処理システムは、情報エレメントが成功裏に処理されたことを示す肯定応答を送信するようにさらに構成されうる。
【００１８】
[0018]  さらに別の態様は、コンピュータ可読媒体を有しうるコンピュータプログラム製品に関し、このコンピュータ可読媒体は、共通チャネルを使用して、情報エレメントを有するＵＳＳＤベースのメッセージをＭＳによって受信するためのコードを含む。さらに、コンピュータ可読媒体は、情報エレメントを処理するためのコードを含みうる。さらに、コンピュータ可読媒体は、情報エレメントが成功裏に処理されたことを示す肯定応答を送信するためのコードを含みうる。
【００１９】
[0019]  本発明の他の態様、特徴、および実施形態は、本発明の特定の例示的な実施形態の以下の説明を、添付の図と併せて検討することで、当業者に明らかになるであろう。本発明の特徴は、以下で特定の実施形態および図に関連して説明されうるが、本発明のすべての実施形態は、本明細書で説明される有利な特徴のうちの１つまたは複数を含みうる。換言すると、１つまたは複数の実施形態は特定の有利な特徴を有するものとして説明されうるが、そのような特徴のうちの１つまたは複数はまた、本明細書で説明される発明の様々な実施形態にしたがって使用されうる。同様に、例示的な実施形態は、デバイス、システム、または方法の実施形態として以下で説明されうるが、そのような例示的な実施形態が様々なデバイス、システム、および方法で実現されるうることは理解されるべきである。
【図面の簡単な説明】
【００２０】
【図１】図１は、いくつかの実施形態に準じた、アクセスネットワークアーキテクチャの例を例示する図である。
【図２】図２は、いくつかの実施形態に準じた、アクセスネットワークにおけるネットワークエンティティおよびユーザ機器の例を例示する図である。
【図３】図３は、いくつかの実施形態に準じた、共通チャネル上での例となるネットワーク起動型ＵＳＳＤメッセージスキームを例示する呼フロー図である。
【図４】図４は、いくつかの実施形態に準じた、共通チャネル上での別の例となるネットワーク起動型ＵＳＳＤメッセージスキームを例示する呼フロー図である。
【図５】図５は、いくつかの実施形態に準じた、共通チャネル上での例となるネットワーク起動型ＵＳＳＤメッセージスキームを例示するフローチャートである。
【図６】図６は、いくつかの実施形態に準じた、異なるモジュール／手段／構成要素間でのデータフローを例示する概念的なデータフロー図である。
【図７】図７は、いくつかの実施形態に準じた、処理システムを用いる装置のためのハードウェア実現の例を例示する図である。
【図８】図８は、いくつかの実施形態に準じた、共通チャネル上での別の例となるネットワーク起動型ＵＳＳＤメッセージスキームを例示するフローチャート図である。
【図９】図９は、いくつかの実施形態に準じた、異なるモジュール／手段／構成要素間でのデータフローを例示する概念的なデータフロー図である。
【図１０】図１０は、いくつかの実施形態に準じた、処理システムを用いる装置のためのハードウェア実現の例を例示する図である。
【図１１】図１１は、いくつかの実施形態に準じた、共通チャネル上での別の例となるネットワーク起動型ＵＳＳＤメッセージスキームを例示するフローチャート図である。
【図１２】図１２は、いくつかの実施形態に準じた、異なるモジュール／手段／構成要素間でのデータフローを例示する概念的なデータフロー図である。
【図１３】図１３は、いくつかの実施形態に準じた、処理システムを用いる装置のためのハードウェア実現の例を例示する図である。
【発明を実施するための形態】
【００２１】
[0033]  添付の図面に関連して以下に示される詳細な説明は、様々な構成の説明を目的としており、本明細書で説明される概念が実施されうる唯一の構成を表すことを目的としたものではない。詳細な説明は、様々な概念の完全な理解を提供するために特定の詳細を含む。しかしながら、これらの概念がこれらの特定の詳細なしに実施されうることは当業者には明らかであろう。いくつかの事例では、そのような概念を曖昧にしないために、周知の構造および構成要素が、ブロック図の形式で示される。
【００２２】
[0034]  電気通信システムのいくつかの態様が、様々な装置および方法に関連して以下にこれから提示されるであろう。これらの装置および方法は、以下の詳細な説明で説明され、様々なブロック、モジュール、構成要素、回路、ステップ、プロセス、アルゴリズム、等（総称して「エレメント」と呼ばれる）によって添付の図面で例示される。それらのエレメントは、電子ハードウェア、コンピュータソフトウェア、またはそれらの任意の組み合わせを使用して実現されうる。そのようなエレメントがハードウェアとして実現されるかソフトウェアとして実現されるかは、特定の用途およびシステム全体に課される設計制約に依存する。
【００２３】
[0035]  例として、１つのエレメント、または１つのエレメントの任意の一部分、あるいは複数のエレメントの任意の組み合わせは、１つまたは複数のプロセッサを含む「処理システム」を用いて実現されうる。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および、本開示全体を通して説明される様々な機能を実行するように構成された他の適切なハードウェアが含まれる。処理システム内の１つまたは複数のプロセッサはソフトウェアを実行しうる。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるものとする。
【００２４】
[0036]  したがって、１つまたは複数の例示的な実施形態では、説明される機能は、ハードウェア、ソフトウェア、ファームウェア、またはこれらの任意の組み合わせで実現されうる。ソフトウェアで実現される場合、これらの機能は、コンピュータ可読媒体上の１つまたは複数の命令またはコードとして記憶または符号化されうる。コンピュータ可読媒体はコンピュータ記憶媒体を含む。記憶媒体は、コンピュータによりアクセスされることができる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができるその他の媒体を備えうる。本明細書で使用される場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、およびフロッピー（登録商標）ディスクを含み、ここで、ディスク（ｄｉｓｋ）は、通常磁気的にデータを再生し、一方ディスク（ｄｉｓｃ）は、レーザーを用いて光学的にデータを再生する。上記の組み合わせもまた、コンピュータ可読媒体の適用範囲内に含まれるべきである。
【００２５】
[0037]  限定ではなく例として、図１に例示される本開示の態様は、Ｗ−ＣＤＭＡエアインターフェースおよび／またはＣＤＭＡ２０００エアインターフェースを用いるＵＭＴＳシステム１００に関連して提示される。ＵＭＴＳネットワークは、コアネットワーク（ＣＮ）１０４、ＵＭＴＳ地上波無線アクセスネットワーク（ＵＴＲＡＮ）１０２、ユーザ機器（ＵＥ）１１０という３つの相互作用するドメインを含む。この例では、ＵＴＲＡＮ１０２は、電話通信、ビデオ、データ、メッセージング、ブロードキャスト、および／または他のサービスを含む様々なワイヤレスサービスを提供する。ＵＴＲＡＮ１０２は、無線ネットワークサブシステム（ＲＮＳ）１０７のような複数のＲＮＳを含み得、それらは各々、無線ネットワークコントローラ（ＲＮＣ）１０６のようなそれぞれのＲＮＣによって制御される。ここで、ＵＴＲＡＮ１０２は、本明細書で例示されるＲＮＣ１０６およびＲＮＳ１０７に加えて、任意の数のＲＮＣ１０６およびＲＮＳ１０７を含みうる。ＲＮＣ１０６は、とりわけ、ＲＮＳ１０７内で無線リソースを割り当てること、再構成すること、およびリリースすることを担う装置である。ＲＮＣ１０６は、任意の適切なトランスポートネットワークを使用して、例えば、直接的な物理接続、仮想ネットワーク等の、様々なタイプのインターフェースを通して、ＵＴＲＡＮ１０２において他のＲＮＣ（示されない）に相互接続されうる。
【００２６】
[0038]  ＵＥ１１０とノードＢ１０８との間の通信は、物理（ＰＨＹ）レイヤおよび媒体アクセス制御（ＭＡＣ）レイヤを含むものとみなされうる。さらに、それぞれのノードＢ１０８を経由したＵＥ１１０とＲＮＣ１０６との間の通信は、無線リソース制御（ＲＲＣ）レイヤを含むものとみなされうる。本明細書では、ＰＨＹレイヤはレイヤ１とみなされ、ＭＡＣレイヤはレイヤ２とみなされ、ＲＲＣレイヤはレイヤ３とみなされうる。これ以降の情報は、参照により本明細書に組み込まれる、RRC Protocol Specification, 3GPP TS 25.331 v9.1.0において紹介されている用語を利用する。
【００２７】
[0039]  ＲＮＳ１０７によってカバーされる地理的領域は、無線トランシーバ装置が各セルにサービスする多数のセルへと分割されうる。無線トランシーバ装置は、通称、ＵＭＴＳアプリケーションではノードＢと呼ばれるが、当業者によって、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の適切な用語でも呼ばれうる。明確さのために、各ＲＮＳ１０７には３つのノードＢ１０８が示されているが、ＲＮＳ１０７は任意の数のワイヤレスノードＢを含みうる。ノードＢ１０８は、任意の数のモバイル装置に対して、ＣＮ１０４へのワイヤレスアクセスポイントを提供する。モバイル装置の例には、セルラ電話、スマートフォン、セッション開始プロトコル（ＳＩＰ）電話、ラップトップ、ノートブック、ネットブック、スマートブック、携帯情報端末（ＰＤＡ）、衛星無線機、全地球測位システム（ＧＰＳ）デバイス、マルチメディアデバイス、ビデオデバイス、デジタルオーディオプレーヤ（例えば、ＭＰ３プレーヤ）、カメラ、ゲーム機、または同様に機能するその他のデバイスが含まれる。モバイル装置は、通称、ＵＭＴＳアプリケーションではＵＥと呼ばれるが、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語でも呼ばれうる。ＵＭＴＳシステムにおいて、ＵＥ１１０は、トラフィックチャネルおよび／または共通（例えば、ページング）チャネルを通して受信されたＵＳＳＤベースのメッセージを処理するように構成されうるＵＳＳＤモジュール１１１をさらに含みうる。例示の目的で、多数のノードＢ１０８と通信状態にある１つのＵＥ１１０が示される。順方向リンクとも呼ばれるＤＬは、ノードＢ１０８からＵＥ１１０への通信リンクを指し、逆方向リンクとも呼ばれるＵＬは、ＵＥ１１０からノードＢ１０８への通信リンクを指す。
【００２８】
[0040]  ＣＮ１０４は、ＵＴＲＡＮ１０２のような１つまたは複数のアクセスネットワークとインターフェースする。示されるように、ＣＮ１０４はＧＳＭコアネットワークである。しかしながら、当業者が認識するように、本開示全体にわたって提示される様々な概念は、ＧＳＭネットワーク以外のタイプのＣＮへのアクセスをＵＥに提供するために、ＲＡＮまたは他の適切なアクセスネットワークで実現されうる。
【００２９】
[0041]  ＣＮ１０４は、回線交換（ＣＳ）ドメインとパケット交換（ＰＳ）ドメインとを含む。回線交換エレメントのうちのいくつかは、モバイルサービス交換センタ（ＭＳＣ）１１２、ビジタロケーションレジスタ（ＶＬＲ）、ＵＳＳＤゲートウェイ（ＵＳＳＤ ＧＷ）、およびゲートウェイＭＳＣである。ＵＳＳＤ ＧＷは、ＵＥ１１０のユーザおよびネットワークエンティティ（例えば、ＰＬＭＮ１１６）のアプリケーションが、ＵＥにおよび介在ネットワークエンティティに透過的な方法で通信することを可能にするように構成されうる。パケット交換エレメントは、サービングＧＰＲＳサポートノード（ＳＧＳＮ）およびゲートウェイＧＰＲＳサポートノード（ＧＧＳＮ）を含む。ＥＩＲ、ＨＬＲ、ＶＬＲ、およびＡｕＣのようないくつかのネットワークエレメントは、回線交換ドメインおよびパケット交換ドメインの両方によって共有されうる。例示される例では、ＣＮ１０４は、ＭＳＣ１１２およびＧＭＳＣ１１４を用いて、回線交換サービスをサポートする。いくつかのアプリケーションでは、ＧＭＳＣ１１４は、メディアゲートウェイ（ＭＧＷ）と呼ばれうる。ＲＮＣ１０６のような１つまたは複数のＲＮＣは、ＭＳＣ１１２に接続されうる。ＭＳＣ１１２は、呼設定、呼ルーティング、およびＵＥモビリティ機能を制御する装置である。ＭＳＣ１１２はまた、ＵＥがＭＳＣ１１２のカバレージエリア内にある持続時間の間、加入者関連情報を含むＶＬＲを含みうる。ＧＭＳＣ１１４は、ＵＥが回線交換ネットワーク１１６にアクセスするために、ＭＳＣ１１２を通してゲートウェイを提供する。ＧＭＳＣ１１４は、特定のユーザが加入しているサービスの詳細を反映するデータのような加入者データを含むホームロケーションレジスタ（ＨＬＲ）１１５を含む。ＨＬＲはまた、加入者固有の認証データを含む認証センタ（ＡｕＣ）に関連付けられる。特定のＵＥのための呼が受信されるとき、ＧＭＳＣ１１４は、ＨＬＲ１１５に問い合わせてそのＵＥのロケーションを決定し、そのロケーションにサービスする特定のＭＳＣに呼を転送（forward）する。
【００３０】
[0042]  ＣＮ１０４はまた、サービング汎用パケット無線サービス（ＧＰＲＳ）サポートノード（ＳＧＳＮ）１１８およびゲートウェイＧＰＲＳサポートノード（ＧＧＳＮ）１２０を用いて、パケットデータサービスをサポートする。ＧＰＲＳは、標準的な回線交換データサービスで利用可能な速度よりも速い速度でパケットデータサービスを提供するように設計される。ＧＧＳＮ１２０は、パケットベースのネットワーク１２２への接続をＵＴＲＡＮ１０２に提供する。パケットベースのネットワーク１２２は、インターネット、プライベートデータネットワーク、または何らかの他の適切なパケットベースのネットワークでありうる。ＧＧＳＮ１２０の主要機能は、ＵＥ１１０にパケットベースのネットワーク接続性を提供することである。データパケットは、主に、ＭＳＣ１１２が回線交換ドメインで実行するのと同じ機能をパケットベースのドメインで実行するＳＧＳＮ１１８を通してＧＧＳＮ１２０とＵＥ１１０との間で転送されうる。
【００３１】
[0043]  ＵＭＴＳのためのエアインターフェースは、スペクトラム拡散直接シーケンス符号分割多元接続（ＤＳ−ＣＤＭＡ）システムを利用しうる。スペクトラム拡散ＤＳ−ＣＤＭＡは、チップと呼ばれる擬似ランダムビットのシーケンスによる乗算を通してユーザデータを拡散する。ＵＭＴＳのための「広帯域」Ｗ−ＣＤＭＡエアインターフェースは、そのような直接シーケンススペクトラム拡散技術に基づいており、加えて、周波数分割複信（ＦＤＤ）を必要とする。ＦＤＤは、ノードＢ１０８とＵＥ１１０との間でＵＬおよびＤＬに対して異なるキャリア周波数を使用する。ＤＳ−ＣＤＭＡを利用し、時分割複信（ＴＤＤ）を使用する、ＵＭＴＳのための別のエアインターフェースは、ＴＤ−ＳＣＤＭＡエアインターフェースである。本明細書で説明される様々な例は、Ｗ−ＣＤＭＡエアインターフェースを参照しうるが、基礎をなす原理は、ＴＤ−ＳＣＤＭＡエアインターフェースに等しく適用可能でありうることを、当業者は認識するであろう。
【００３２】
[0044]  ＵＭＴＳに対して使用されうる別のエアインターフェースはＣＤＭＡ２０００でありうる。ある態様では、ＣＤＭＡ２０００エアインターフェースは、ＵＳＳＤベースのメッセージングの使用をサポートしうる。そのような態様では、サービスインジケータパラメータとしてモバイルアプリケーションパート（ＭＡＰ）ＳＭＳ配信ポイント・ツー・ポイント（ＳＭＤＰＰ）メッセージ内に挿入される新しいサービスインジケータ（例えば、ＣＤＭＡ Ｍ２Ｍ、等）は、ＵＳＳＤ ＧＷ１１７によって構築され、スイッチＭＳＣ／ＭＳＣｅ１１２に送られる。ある動作態様では、このサービスインジケータタイプの受信を受けて、ＭＳＣ／ＭＳＣｅ１１２のＵＳＳＤモジュール１１３は、ＵＳＳＤベースのメッセージがＭ２Ｍトリガリング用であることを決定し、この決定に応答して、ＵＳＳＤモジュール１１３は、共通（例えば、ページングチャネル）を使用してＵＳＳＤメッセージをモバイル局（例えば、ＵＥ１１０）に送信するよう基地局（例えば、ノードＮ１０８）に促しうる。さらに、ＵＳＳＤベースのメッセージングについてのＣＤＭＡ２０００サポートの記載は、図３および４に記載されている呼フロー図に関連して提供される。
【００３３】
[0045]  図２は、アクセスネットワークにおいてＵＥ２５０と通信状態にあるネットワークエンティティ２１０（例えば、ｅＮＢ、ＭＳＣ、ＵＳＳＤ ＧＷ、等）のブロック図である。ＤＬでは、コアネットワークからの上位レイヤのパケットが、コントローラ／プロセッサ２７５に提供される。コントローラ／プロセッサ２７５はＬ２レイヤの機能を実現する。ＤＬでは、コントローラ／プロセッサ２７５は、ヘッダの圧縮、暗号化、パケットセグメンテーションおよび並び替え、論理チャネルとトランスポートチャネルとの間での多重化、および様々な優先順位メトリックに基づいたＵＥ２５０への無線リソース割振りを提供する。コントローラ／プロセッサ２７５はまた、ＨＡＲＱ動作、損失パケットの再送、ＵＥ２５０へのシグナリングを担う。
【００３４】
[0046]  送信（ＴＸ）プロセッサ２１６は、Ｌ１レイヤ（すなわち、物理レイヤ）のための様々な信号処理機能を実現する。信号処理機能は、ＵＥ２５０における順方向誤り訂正（ＦＥＣ）を容易にするようにコーディングおよびインターリーブすることと、様々な変調スキーム（例えば、２相位相変調（ＢＰＳＫ）、直交位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、並行した複数のストリームへと分かれうる。次いで、各ストリームは、ＯＦＤＭサブキャリアにマッピングされ、時間ドメインおよび／または周波数ドメインにおいて基準信号（例えば、パイロット）と多重化され、次いで、逆高速フーリエ変換（ＩＦＦＴ）を使用して組み合わせられて、時間ドメインのＯＦＤＭシンボルストリームを搬送する物理チャネルが生成される。ＯＦＤＭストリームは、多数の空間ストリームを生成するために空間的にプリコーディングされる。チャネル推定器２７４からのチャネル推定値が、コーディングおよび変調スキームを決定するため、および、空間処理のために使用されうる。チャネル推定値は、ＵＥ２５０によって送信されたチャネル条件フィードバックおよび／または基準信号から導出されうる。次いで、各空間ストリームが、別個の送信機２１８ＴＸを介して異なるアンテナ２２０に提供される。各送信機２１８ＴＸは、送信のために、それぞれの空間ストリームを用いてＲＦキャリアを変調する。
【００３５】
[0047]  ＵＥ２５０において、各受信機２５４ＲＸは、それのそれぞれのアンテナ２５２を通して信号を受信する。各受信機２５４ＲＸは、ＲＦキャリア上に変調された情報を復元し、受信（ＲＸ）プロセッサ２５６にその情報を提供する。ＲＸプロセッサ２５６は、Ｌ１レイヤの様々な信号処理機能を実現する。ＲＸプロセッサ２５６は、ＵＥ２５０に宛てられた任意の空間ストリームを復元するために、その情報に対して空間処理を実行する。多数の空間ストリームがＵＥ２５０に宛てられている場合、それらは、ＲＸプロセッサ２５６によって、単一のＯＦＤＭシンボルストリームへと組み合わせられうる。次いで、ＲＸプロセッサ２５６は、高速フーリエ変換（ＦＦＴ）を使用して、ＯＦＤＭシンボルストリームを時間ドメインから周波数ドメインにコンバートする。周波数ドメインの信号は、ＯＦＤＭ信号のサブキャリアごとに別個のＯＦＤＭシンボルストリームを備える。各サブキャリア上のシンボル、および基準信号は、ネットワークエンティティ２１０によって送信された最も可能性が高い信号コンステレーションポイントを決定することによって、復元および復調される。これらの軟判定は、チャネル推定器２５８によって計算されたチャネル推定値に基づきうる。次いで、これらの軟判定は、物理チャネル上でネットワークエンティティ２１０によってもともと送信されたデータおよび制御信号を復元するために、復号およびデインターリーブされる。次いで、データおよび制御信号が、コントローラ／プロセッサ２５９に提供される。
【００３６】
[0048]  コントローラ／プロセッサ２５９はＬ２レイヤを実現する。コントローラ／プロセッサは、プログラムコードおよびデータを記憶するメモリ２６０に関連付けられうる。メモリ２６０はコンピュータ可読媒体とも呼ばれうる。ＵＬでは、コントローラ／プロセッサ２５９は、トランスポートチャネルと論理チャネルとの間でのデマルチプレクシング、パケットのリアセンブリ、暗号解読、ヘッダの圧縮解除、制御信号処理を提供して、コアネットワークからの上位レイヤのパケットを復元する。次いで、上位レイヤのパケットは、Ｌ２レイヤより上位のすべてのプロトコルレイヤを表すデータシンク２６２に提供される。様々な制御信号もまた、Ｌ３処理のために、データシンク２６２に提供されうる。コントローラ／プロセッサ２５９はまた、ＨＡＲＱ動作をサポートするために、肯定応答（ＡＣＫ）および／または否定応答（ＮＡＣＫ）プロトコルを使用した誤り検出を担う。
【００３７】
[0049]  ＵＬでは、コントローラ／プロセッサ２５９に上位レイヤのパケットを提供するために、データソース２６７が使用される。データソース２６７は、Ｌ２レイヤより上位のすべてのプロトコルレイヤを表す。ネットワークエンティティ２１０によるＤＬ送信に関連して説明された機能と同様に、コントローラ／プロセッサ２５９は、ヘッダの圧縮、暗号化、パケットのセグメンテーションおよび並び替え、ネットワークエンティティ２１０による無線リソースの割振りに基づいた論理チャネルとトランスポートチャネルとの間での多重化を提供することによって、ユーザプレーンおよび制御プレーンのためのＬ２レイヤを実現する。コントローラ／プロセッサ２５９はまた、ＨＡＲＱ動作、損失パケットの再送、ネットワークエンティティ２１０へのシグナリングを担う。
【００３８】
[0050]  ネットワークエンティティ２１０によって送信されたフィードバックまたは基準信号からチャネル推定器２５８によって導出されたチャネル推定値は、適切なコーディングおよび変調スキームを選択するため、および空間処理を容易にするために、ＴＸプロセッサ２６８によって使用されうる。ＴＸプロセッサ２６８によって生成される空間ストリームは、別個の送信機２５４ＴＸを介して異なるアンテナ２５２に提供される。各送信機２５４ＴＸは、送信のために、それぞれの空間ストリームを用いてＲＦキャリアを変調する。
【００３９】
[0051]  ＵＬ送信は、ＵＥ２５０における受信機機能に関連して説明されたものと同様の方法で、ネットワークエンティティ２１０において処理される。各受信機２１８ＲＸは、それのそれぞれのアンテナ２２０を通して信号を受信する。各受信機２１８ＲＸは、ＲＦキャリア上に変調された情報を復元し、ＲＸプロセッサ２７０にその情報を提供する。ＲＸプロセッサ２７０はＬ１レイヤを実現しうる。
【００４０】
[0052]  コントローラ／プロセッサ２７５は、Ｌ２レイヤを実現する。コントローラ／プロセッサ２７５は、プログラムコードおよびデータを記憶するメモリ２７６に関連付けられうる。メモリ２７６は、コンピュータ可読媒体とも呼ばれうる。ＵＬでは、コントローラ／プロセッサ２７５は、トランスポートチャネルと論理チャネルとの間でのデマルチプレクシング、パケットのリアセンブリ、暗号解読、ヘッダの圧縮解除、制御信号処理を提供して、ＵＥ２５０からの上位レイヤのパケットを復元する。コントローラ／プロセッサ２７５からの上位レイヤのパケットは、コアネットワークに提供されうる。コントローラ／プロセッサ２７５はまた、ＨＡＲＱ動作をサポートするために、ＡＣＫおよび／またはＮＡＣＫプロトコルを使用した誤り検出を担う。
【００４１】
[0053]  図３、４、５、８、および１１は、提示される主題の様々な態様にしたがった様々な方法を例示する。説明の簡略化を目的として、これらの方法は、一連の動作またはシーケンスステップとして示され、かつ説明されるが、いくつかの動作は本明細書で示され、かつ説明されるものとは異なる順序でおよび／または他の動作と同時に生じうるため、特許請求の範囲の主題がこれらの動作の順序によって制限されないことは理解および認識されるべきである。例えば、当業者であれば、方法が、状態図にあるような、一連の相関状態またはイベントとして代替的に表されうることを理解および認識するであろう。さらに、例示されるすべての動作が、特許請求の範囲の主題にしたがった方法を実現するために必要とされるわけではない。加えて、これ以降および本明細書全体にわたって開示される方法は、このような方法をコンピュータにトランスポートすることおよび移送することを容易にするために、製品（article of manufacture）上に記憶されることができることがさらに認識されるべきである。本明細書で使用される場合、製品という用語は、任意のコンピュータ可読デバイス、キャリア、または媒体からアクセス可能なコンピュータプログラムを包含することが意図される。
【００４２】
[0054]  図３は、ある態様に準じた、共通チャネルを介したＵＳＳＤメッセージングをサポートするように構成されたアクセスネットワーク３００を例示する呼フロー図である。アクセスネットワークは、ＭＳ３０２、基地局（ＢＳ）３０４、ＭＳＣ３０６、ＨＬＲ３０８、およびＵＳＳＤ ＧＷ３１０を含みうる。
【００４３】
[0055]  動作３１２において、ＵＳＳＤ ＧＷ３１０が、ＭＳに現在サービスしているＭＳＣ３０６のアドレスを有していない場合、ＵＳＳＤ ＧＷ３１０は、ＳＭＳＲＥＱをＨＬＲ３０８に送りうる。
【００４４】
[0056]  動作３１４において、ＨＬＲ３０８が、指定されたＭＳベースのＵＳＳＤクライアント３０２の現在のアドレスを有している場合、ＨＬＲ３０８は、ｓｍｓｒｅｑを要求側のＵＳＳＤ ＧＷ３１０に送りうる。
【００４５】
[0057]  ＵＳＳＤ ＧＷ３１０は、ＭＡＰ ＳＭＤＰＰ ＩＮＶＯＫＥメッセージを構築し得、ここには、SMS_BearDataパラメータはＵＳＳＤ通知を含みうる。さらに、ServiceIndicatorパラメータは、ＣＤＭＡ Ｍ２Ｍのようなものであるがそれには限定されないサービスインジケータに設定されうる。ある態様では、ＵＳＳＤ通知は、  [C.S0105]  で定義されるようにフォーマットされる。その後、動作３１６において、ＳＭＤＰＰ ＩＮＶＯＫＥは、ＭＳＣ／ＭＳＣｅ３０６に送られ得、動作３１７において、ＵＳＳＤゲートウェイ３１０は、タイマＳＭＴを開始しうる。
【００４６】
[0058]  動作３１８において、ＳＭＤＰＰ ＩＮＶＯＫＥメッセージの受信を受けて、ＭＳＣ／ＭＳＣｅ３０６は、加入者ＭＳ３０２がＵＳＳＤサービスの使用を認可されているかどうかを、加入者プロフィールを検証することで決定しうる。対照的に、加入者が認可されていない場合、ＭＳＣ／ＭＳＣｅ３０６は、動作３２６で行われるように、smdppにおいて原因コードを送りうる。加入者プロフィールがUSSDAddressパラメータを含む場合、ＭＳＣ／ＭＳＣｅ３０６は、ＵＳＳＤセッションが完了するまで、ＳＭＤＰＰ ＩＮＶＯＫＥを発信したアドレスをキャッシュしうる。ＭＳＣ／ＭＳＣｅ３０６はまた、このＵＳＳＤ通知を転送するために共通チャネルが使用されるべきであることを、ServiceIndicatorパラメータのタイプによって決定しうる。さらに、ＭＳＣ／ＭＳＣｅ３０６は、ＵＳＳＤを示すように設定されたデータバーストタイプのＡＤＤＳユーザデータ情報エレメントを有するＩＯＳ ＡＤＤＳページメッセージを構築しうる。ある態様では、ＭＡＰ ＳＭＤＰＰ ＩＮＶＯＫＥのSMS_BearDataパラメータは、ＡＤＤＳユーザデータ情報エレメントのアプリケーションデータメッセージを作り出すために使用されうる。その後、動作３１８において、ＭＳＣ３０６は、ＩＯＳ ＡＤＤＳページメッセージをＢＳ３０４に送りうる。
【００４７】
[0059]  動作３２０において、ＢＳ３０４は、ＵＳＳＤ通知メッセージを、共通チャネルを通して送信しうる。ＵＳＳＤデータバーストメッセージを送信した後に肯定応答をＢＳ３０４が受信しない場合、それはメッセージを再送する。ある態様では、再送の最大数は設定可能である。そのような態様では、ＢＳ３０４が再送の最大数に到達するとき、ＢＳ３０４は、レイヤ２Ａｃｋ失敗を宣言し得、呼の切断（clearing）を開始する。
【００４８】
[0060]  動作３２２において、ＭＳ３０２は、アクセスチャネル上でレイヤ２Ａｃｋを有するデータバーストメッセージの受信を確認応答しうる（acknowledge（Ａｃｋ））。
【００４９】
[0061]  動作３２４において、ＭＳＣ／ＭＳＣｅ３０６が、タグエレメントをＡＤＤＳページメッセージに含めることによって応答を要求している場合、ＢＳ３０４は、ＵＳＳＤ ＵＳＳＤ通知メッセージが配信されたという肯定応答をＭＳ３０２から受信したとき、ＡＤＤＳページＡｃｋメッセージで応える。タグエレメントがＡＤＤＳページメッセージに含まれた場合、ＢＳ３０４は、そのタグエレメントをＡＤＤＳページＡｃｋメッセージに含めて、それを、ＡＤＤＳページメッセージで受信されたものと同じ値に設定する。
【００５０】
[0062]  動作３２６において、ＭＳＣ／ＭＳＣｅ３０６は、ＳＭＤＰＰ ＲＥＴＵＲＮ ＲＥＳＵＬＴをＵＳＳＤ ＧＷ３１０に送ることによって３１６からのＭＡＰ ＳＭＤＰＰ ＩＮＶＯＫＥメッセージを確認応答しうる。ある態様では、ＭＡＰ ＳＭＤＰＰ ＲＥＴＵＲＮ ＲＥＳＵＬＴの受信を受けて、動作３１７を完了し、ＵＳＳＤ ＧＷ３１０は、タイマＳＭＴを停止する。
【００５１】
[0063]  動作３２８において、ＢＳ３０４は、ＵＳＳＤを示すバーストタイプを有するデータバーストメッセージを、アクセスチャネル上でＭＳ３０２から受信しうる。ある態様では、データバーストメッセージは、ＵＳＳＤリリースメッセージを含みうる。そのような態様では、ＵＳＳＤ ＤＢＭは、  [C.S0105]  で定義されるように構築されうる。
【００５２】
[0064]  動作３３０において、レイヤ２ＡｃｋがＭＳ３０２によって要求された場合、ＢＳ３０４は、共通チャネル上でレイヤ２ＡｃｋをＭＳ３０２に送りうる。
【００５３】
[0065]  動作３３２において、ＢＳ３０４は、ＡＤＤＳ転送メッセージをＭＳＣ／ＭＳＣｅ３０６に送りうる。ある態様では、ＡＤＤＳユーザデータ情報エレメントのアプリケーションデータメッセージは、ＭＳ３０２から受信されたＵＳＳＤ ＤＢＭを含みうる。そのような態様では、ＡＤＤＳユーザデータ情報エレメントのデータバーストタイプはＵＳＳＤに設定されうる。
【００５４】
[0066]  動作３３４において、ＭＳＣ／ＭＳＣｅ３０６は、ＭＡＰ ＳＭＤＰＰ ＩＮＶＯＫＥを構築しうる。SMS_BearDataは、  [TS24.080]  で定義されるようなＵＳＳＤ応答メッセージを含むＡＤＤＳページメッセージ内のＡＤＤＳユーザパートから構築される。ＳＭＤＰＰ ＩＮＶＯＫＥは、動作３１８においてキャッシュされたアドレスに送られうる。ある態様では、ＭＳＣ／ＭＳＣｅ３０６は、タイマＳＭＴを開始しうる。
【００５５】
[0067]  動作３３６において、ＵＳＳＤ ＧＷ３１０は、ＳＭＤＰＰ ＲＥＴＵＲＮ ＲＥＳＵＬＴをＭＳＣ／ＭＳＣｅ３０６に送ることによってＭＡＰ ＳＭＤＰＰ ＩＮＶＯＫＥに確認応答しうる。ＭＡＰ ＳＭＤＰＰ ＲＥＴＵＲＮ ＲＥＳＵＬＴの受信を受けて、ＭＳＣ／ＭＳＣｅ３０６は、タイマＳＭＴを停止しうる。
【００５６】
[0068]  図４は、ある態様に準じた、共通チャネルを介したＵＳＳＤメッセージングをサポートするように構成されるアクセスネットワーク４００を例示する呼フロー図である。アクセスネットワークは、ＭＳ４０２、基地局（ＢＳ）４０４、ＭＳＣ４０６、ＨＬＲ４０８、およびＵＳＳＤ ＧＷ４１０を含みうる。
【００５７】
[0069]  動作４１２において、ＵＳＳＤ ＧＷ４１０が、ＭＳに現在サービスしているＭＳＣ４０６のアドレスを有していない場合、ＵＳＳＤ ＧＷ４１０は、ＳＭＳＲＥＱをＨＬＲ４０８に送りうる。
【００５８】
[0070]  動作４１４において、ＨＬＲ４０８が、指定されたＭＳベースのＵＳＳＤクライアント４０２の現在のアドレスを有している場合、ＨＬＲ４０８は、ｓｍｓｒｅｑを要求側のＵＳＳＤ ＧＷ４１０に送りうる。
【００５９】
[0071]  ＵＳＳＤ ＧＷ４１０は、ＭＡＰ ＳＭＤＰＰ ＩＮＶＯＫＥメッセージを構築し得、ここには、SMS_BearDataパラメータはＵＳＳＤ通知を含みうる。さらに、ServiceIndicatorパラメータは、ＣＤＭＡ Ｍ２Ｍのようなものであるがそれには限定されないサービスインジケータに設定されうる。ある態様では、ＵＳＳＤ通知は、  [C.S0105]  で定義されるようにフォーマットされる。その後、動作４１６において、ＳＭＤＰＰ ＩＮＶＯＫＥが、ＭＳＣ／ＭＳＣｅ４０６に送られ、動作４１７において、ＵＳＳＤゲートウェイ４１０がタイマＳＭＴを開始しうる。
【００６０】
[0072]  動作４１８において、ＳＭＤＰＰ ＩＮＶＯＫＥメッセージの受信を受けて、ＭＳＣ／ＭＳＣｅ４０６は、加入者ＭＳ４０２がＵＳＳＤサービスの使用を認可されているかどうかを、加入者プロフィールを検証することで決定しうる。対照的に、加入者が認可されていない場合、ＭＳＣ／ＭＳＣｅ４０６は、動作４２６で行われるように、smdppにおいて原因コードを送りうる。加入者プロフィールがUSSDAddressパラメータを含む場合、ＭＳＣ／ＭＳＣｅ４０６は、ＵＳＳＤセッションが完了するまで、ＳＭＤＰＰ ＩＮＶＯＫＥを発信したアドレスをキャッシュしうる。ＭＳＣ／ＭＳＣｅ４０６はまた、このＵＳＳＤ通知を転送するために共通チャネルが使用されるべきであることを、ServiceIndicatorパラメータのタイプによって決定しうる。さらに、ＭＳＣ／ＭＳＣｅ４０６は、ＵＳＳＤを示すように設定されたデータバーストタイプのＡＤＤＳユーザデータ情報エレメントを有するＩＯＳ ＡＤＤＳページメッセージを構築しうる。ある態様では、ＭＡＰ ＳＭＤＰＰ ＩＮＶＯＫＥのSMS_BearDataパラメータは、ＡＤＤＳユーザデータ情報エレメントのアプリケーションデータメッセージを作り出すために使用されうる。ＭＳＣ／ＭＳＣｅ４０６はまた、タグエレメントをＡＤＤＳページメッセージに含めることでＢＳ４０４からの応答が必要とされることを決定しうる。ある態様では、この応答は、ＵＳＳＤリリースをカプセル化するために用いられうる。その後、動作４１８において、ＭＳＣ４０６は、ＩＯＳ ＡＤＤＳページメッセージをＢＳ４０４に送りうる。
【００６１】
[0073]  動作４２０において、ＢＳ４０４は、ＵＳＳＤ通知メッセージを、共通チャネルを通して送信しうる。ＵＳＳＤデータバーストメッセージを送信した後にＢＳ４０４が肯定応答を受信しない場合、それはメッセージを再送する。ある態様では、再送の最大数は設定可能である。そのような態様では、ＢＳ４０４が再送の最大数に到達するとき、ＢＳ４０４は、レイヤ２Ａｃｋ失敗を宣言し得、呼の切断を開始する。
【００６２】
[0074]  動作４２２において、ＭＳ４０２は、アクセスチャネル上で、ＵＳＳＤを示すバーストタイプを有するデータバーストメッセージを含むレイヤ２でのデータバーストメッセージの受信を確認応答しうる（Ａｃｋ）。ある態様では、データバーストメッセージは、ＵＳＳＤリリースメッセージを含む。ＵＳＳＤ ＤＢＭは、  [C.S0105]  で定義されるように構築される。
【００６３】
[0075]  動作４２４において、ＭＳＣ／ＭＳＣｅ４０６が、タグエレメントをＡＤＤＳページメッセージに含めることによって応答を要求しているため、ＢＳ４０４は、レイヤ２Ａｃｋの受信を受けて、ＡＤＤＳページＡｃｋで応える。ある態様では、ＡＤＤＳページＡｃｋは、ＵＳＳＤ ＤＢＭを含みうる。そのような態様では、ＢＳ４０４は、タグエレメントをＡＤＤＳページＡｃｋメッセージに含め、それを、ＡＤＤＳページメッセージで受信されたものと同じ値に設定しうる。
【００６４】
[0076]  動作４２６において、ＭＳＣ／ＭＳＣｅ４０６は、ＳＭＤＰＰ ＲＥＴＵＲＮ ＲＥＳＵＬＴをＵＳＳＤ ＧＷ４１０に送ることによって４１６からのＭＡＰ ＳＭＤＰＰ ＩＮＶＯＫＥメッセージを確認応答しうる。ある態様では、SMS_BearDataは、  [TS24.080]  で定義されるようなＵＳＳＤリリースを含むＡＤＤＳページＡｃｋ内のＡＤＤＳユーザパートから構築されうる。ある態様では、ＭＡＰ ＳＭＤＰＰ ＲＥＴＵＲＮ ＲＥＳＵＬＴの受信を受けて、動作４１７が完了し、ＵＳＳＤ ＧＷ４１０は、タイマＳＭＴを停止する。
【００６５】
[0077]  図５は、ワイヤレス通信の方法のフローチャート５００である。方法は、ネットワークエンティティ（例えば、ＵＳＳＤ ＧＷ１１７）によって実行されうる。
【００６６】
[0078]  あるオプショナルな態様では、ブロック５０２において、ネットワークエンティティは、興味のあるＭＳについてのアドレスを求める要求を、ホームロケーションレジスタ（ＨＬＲ）に送りうる。ある態様では、このメッセージは、ＳＭＳＲＥＱメッセージでありうる。ある態様では、送ることは、送信モジュール６０８によって実行されうる。別の態様では、興味のあるＭＳについてのアドレスはＵＳＳＤ ＧＷに対して利用可能でないという決定が、ＭＳアドレスモジュール６１０によって実行されうる。
【００６７】
[0079]  別のオプショナルな態様では、ブロック５０４において、ネットワークエンティティは、興味のあるＭＳについてのアドレスをＨＬＲから受信しうる。ある態様では、受信モジュール６０４は、ＨＬＲからメッセージを受信するように構成されうる。ある態様では、受信されるメッセージは、ｓｍｓｒｅｑメッセージでありうる。
【００６８】
[0080]  ブロック５０６において、ネットワークエンティティは、ＵＳＳＤベースのメッセージが共通チャネルを使用して通信されることが可能であると決定しうる。ある態様では、ＵＳＳＤ共通チャネルモジュール６０６は、この決定を実行するように構成されうる。ある態様では、この決定は、送られるべきＵＳＳＤメッセージのサイズ（例えば、閾値サイズを下回る）、メッセージの目的（例えば、Ｍ２Ｍトリガリング）、等に基づきうる。
【００６９】
[0081]  ブロック５０８において、ネットワークエンティティは、共通チャネルを使用してメッセージの情報エレメントをＭＳに通信するようＭＳＣに促すサービスインジケータを有するＵＳＳＤベースのメッセージをＵＳＳＤセッションの一環としてＭＳＣに送りうる。ある態様では、ＵＳＳＤベースのメッセージは、送信モジュール６０８を使用して送られうる。そのような態様では、ネットワークエンティティはまた、メッセージが送られるときにタイマを開始しうる。そのような態様では、タイマは、ＵＳＳＤ共通チャネルモジュール６０６を使用して開始されうる。別の態様では、ＵＳＤベースのメッセージは、ＵＳＳＤ ＤＢＭであり得、情報エレメントは、ＵＳＳＤ通知情報エレメントでありうる。別の態様では、送信モジュール６０８は、ＳＭＳ配信ポイント・ツー・ポイント（ＳＭＤＰＰ）フォーマットを使用してメッセージを送るように構成され、サービスインジケータは、符号分割多元接続（ＣＤＭＡ）Ｍ２Ｍサービスインジケータでありうる。
【００７０】
[0082]  あるオプショナルな態様では、ブロック５１０において、ネットワークエンティティは、情報エレメントがＭＳによって成功裏に受信されたことを示す肯定応答をＭＳＣから受信しうる。ある態様では、肯定応答メッセージは、受信モジュール６０４を使用して受信されうる。別の態様では、ＵＳＳＤ共通チャネルモジュール６０６は、Ａｃｋメッセージの受信を受けて、タイマを停止するように構成されうる。別の態様では、Ａｃｋメッセージは、ＵＳＳＤセッションリリース情報エレメントをさらに含みうる。そのような態様では、ＵＳＳＤ共通チャネルモジュール６０６は、ＵＳＳＤセッションを終了するように構成されうる。
【００７１】
[0083]  別のオプショナルな態様では、ブロック５１２において、ネットワークエンティティは、ＵＳＤＤセッションリリースメッセージを受信しうる。そのような態様では、ＵＳＳＤセッションリリースメッセージは、受信モジュール６０４を使用して受信されうる。
【００７２】
[0084]  別のオプショナルな態様では、ブロック５１４において、ネットワークエンティティは、ＵＳＳＤセッションをリリースしうる。そのような態様では、ＵＳＳＤ共通チャネルモジュール６０６は、ＵＳＳＤセッションを終了するように構成されうる。
【００７３】
[0085]  図６は、例示的な装置６０２内の異なるモジュール／手段／構成要素間のデータフローを例示する概念的なデータフロー図６００である。装置は、ＵＳＳＤ ＧＷ１１７のようなものであるがそれには限定されないネットワークエンティティでありうる。図５に関連して上述されたように、装置は、受信モジュール６０４、ＵＳＳＤ共通チャネルモジュール６０６、送信モジュール６０８、およびＭＳアドレスモジュール６１０を含む。
【００７４】
[0086]  ある動作態様では、装置６０２は、ＵＳＳＤベースのメッセージ６２４を、受信モジュール５０４を通して受信しうる。受信モジュール６０４は、処理のために、ＵＳＳＤベースのメッセージ６２４をＵＳＳＤ共通チャネルモジュール６０６に提供しうる。ある態様では、ＵＳＳＤ共通チャネルモジュール６０６は、ＵＳＳＤベースのメッセージ６２４が共通チャネルを使用して送信モジュール６０８を介して通信されることが可能であると決定しうる。そのような態様では、送信モジュール６０８は、共通チャネルを使用してメッセージの情報エレメントをＭＳに通信するようＭＳＣに促すサービスインジケータを有するＵＳＳＤベースのメッセージ６２４を、ＵＳＳＤセッション６２６の一環としてＭＳＣに送りうる。ある態様では、受信モジュール６０４は、情報エレメントがＭＳによって成功裏に受信されたことを示す肯定応答を有するメッセージ６２８をＭＳＣ１１２から受信しうる。別の態様では、メッセージ６２８は、ＵＳＳＤセッションをリリースするよう装置に促す情報を含みうる。装置がＭＳについてのアドレスを有していない別の態様では、装置６０２は、送信モジュール６０８を介してアドレス要求６２０をＨＬＲ１１５に送りうる。そのような態様では、アドレス要求に応答して、受信モジュール６０４は、ＭＳアドレス６２２を受信し、それをＭＳアドレスモジュール６１０に提供しうる。
【００７５】
[0087]  装置は、図３、４、および５の前述の呼フローおよび／またはフローチャートにおけるアルゴリズムのステップの各々を実行する追加のモジュールを含みうる。このように、前述の図３、４、および５における各ステップはモジュールによって実行され得、装置は、それらのモジュールのうちの１つまたは複数を含みうる。モジュールは、説明されたプロセス／アルゴリズムを実行するように特に構成され、説明されたプロセス／アルゴリズムを実行するように構成されたプロセッサによって実現され、プロセッサによる実現のためにコンピュータ可読媒体内に記憶され、またはそれらの何らかの組み合わせである、１つまたは複数のハードウェア構成要素でありうる。
【００７６】
[0088]  図７は、処理システム７１４を用いる装置６０２’のためのハードウェア実現の例を例示する図７００である。処理システム７１４は、概してバス７２４で表されるバスアーキテクチャを用いて実現されうる。バス７２４は、処理システム７１４の特定の用途と設計制約全体に依存して、任意の数の相互接続バスおよびブリッジを含みうる。バス７２４は、プロセッサ７０４、モジュール６０４、６０６、６０８、６１０、およびコンピュータ可読媒体７０６で表される、１つまたは複数のプロセッサおよび／またはハードウェアモジュールを含む様々な回路を互いにリンクさせる。バス７２４はまた、タイミングソース、周辺機器、電圧レギュレータ、および電力管理回路のような様々な他の回路をリンクさせることができるが、これらは、当技術分野では周知であるためこれ以上説明されないであろう。
【００７７】
[0089]  処理システム７１４は、トランシーバ７１０に結合されうる。トランシーバ７１０は、１つまたは複数のアンテナ７２０に結合される。トランシーバ７１０は、送信媒体を通して様々な他の装置と通信するための手段を提供する。処理システム７１４は、コンピュータ可読媒体７０６に結合されたプロセッサ７０４を含む。プロセッサ７０４は、コンピュータ可読媒体７０６に記憶されたソフトウェアの実行を含む汎用処理を担う。ソフトウェアは、プロセッサ７０４によって実行されるとき、処理システム７１４に、任意の特定の装置に関して先に述べた様々な機能を実行させる。コンピュータ可読媒体７０６はまた、ソフトウェアを実行するときにプロセッサ７０４によって操作される（manipulated）データを記憶するために使用されうる。処理システムはさらに、モジュール６０４、６０６、６０８、および６１０のうちの少なくとも１つを含む。モジュールは、プロセッサ７０４で稼働しており、コンピュータ可読媒体７０６に存在し／記憶されたソフトウェアモジュール、プロセッサ７０４に結合された１つまたは複数のハードウェアモジュール、またはそれらの何らかの組み合わせでありうる。処理システム７１４は、ネットワークエンティティ２１０の構成要素であり得、メモリ２７６、および／またはＴＸプロセッサ２１６、ＲＸプロセッサ２７０、およびコントローラ／プロセッサ２７５のうちの少なくとも１つを含みうる。
【００７８】
[0090]  一構成では、ワイヤレス通信のための装置６０２／６０２'は、ＵＳＳＤベースのメッセージが共通チャネルを使用して通信されることが可能であると決定するための手段、および、共通チャネルを使用してメッセージの情報エレメントをＭＳに通信するようＭＳＣに促すサービスインジケータを有するＵＳＳＤベースのメッセージをＵＳＳＤセッションの一環としてＭＳＣに送るための手段を含む。ある態様では、メッセージは、情報エレメントのサイズが閾値サイズよりも小さいときに、共通チャネルを使用して通信されることが可能であると決定されうる。ある態様では、装置６０２／６０２'は、情報エレメントがＭＳによって成功裏に受信されたことを示す肯定応答をＭＳＣから受信するための手段をさらに提供しうる。ある態様では、肯定応答はまた、ＵＳＳＤセッションをリリースするようＵＳＳＤ ＧＷに促すためのＵＳＳＤセッションリリース情報エレメントを含みうる。ある態様では、装置６０２／６０２'は、ＭＳについてのアドレスを求める要求をＨＬＲに送るための手段と、ＭＳについてのアドレスをＨＬＲから受信するための手段とをさらに提供し得、メッセージは、ＭＳについてのアドレスをさらに含む。先に述べたように、処理システム７１４は、ＴＸプロセッサ２１６、ＲＸプロセッサ２７０、コントローラ／プロセッサ２７５を含みうる。このように、一構成では、前述の手段は、前述の手段によって説明された機能を実行するように構成された、ＴＸプロセッサ２１６、ＲＸプロセッサ２７０、コントローラ／プロセッサ２７５でありうる。
【００７９】
[0091]  図８は、ワイヤレス通信の方法のフローチャート８００である。方法は、ネットワークエンティティ（例えば、ＭＳＣ１１２）によって実行されうる。
【００８０】
[0092]  ブロック８０２において、ネットワークエンティティは、共通チャネルを使用して情報エレメントをＭＳに通信するようＭＳＣに促すサービスインジケータを含むＵＳＳＤベースのメッセージをＵＳＳＤ ＧＷから受信しうる。ある態様では、受信モジュール９０４は、ＳＭＤＰＰフォーマットを使用してＵＳＳＤベースのメッセージを受信するように構成されうる。さらに、サービスインジケータは、ＣＤＭＡ Ｍ２Ｍサービスインジケータでありうる。別の態様では、ＵＳＳＤベースのメッセージは、ＵＳＳＤデータバーストメッセージ（ＤＢＭ）であり得、情報エレメントは、ＵＳＳＤ通知情報エレメントでありうる。ある態様では、受信することは、受信モジュール９０４を使用して実行されうる。
【００８１】
[0093]  ブロック８０４において、ネットワークエンティティは、情報エレメントが共通チャネルを使用してＭＳに通信されるべきであると決定しうる。ある態様では、この決定は、ＵＳＳＤ共通チャネル処理モジュール９０６を使用して実行されうる。
【００８２】
[0094]  ブロック８０６において、ネットワークエンティティは、共通チャネルを使用してＭＳに送信されるべき情報エレメントを基地局に送りうる。ある態様では、送ることは、送信モジュール９０８を使用して実行されうる。ある態様では、送信モジュール９０８は、ＡＤＤＳページメッセージを使用して情報エレメントを送るように構成されうる。
【００８３】
[0095]  あるオプショナルな態様では、ブロック８０８において、ネットワークエンティティは、情報エレメントがＭＳによって成功裏に受信されたことを示す肯定応答を基地局から受信しうる。ある態様では、肯定応答は、ＵＳＳＤセッションをリリースするようＵＳＳＤ ＧＷに促すためのＵＳＳＤセッションリリース情報エレメントを含みうる。ある態様では、受信することは、受信モジュール９０４を使用して実行されうる。
【００８４】
[0096]  別のオプショナルな態様では、ブロック８１０において、ネットワークエンティティは、ＵＳＳＤセッションをリリースするようＵＳＳＤ ＧＷに促すためのＵＳＳＤセッションリリースメッセージを受信しうる。ある態様では、受信することは、受信モジュール９０４を使用して実行されうる。ある態様では、ＵＳＳＤセッションリリースメッセージは、ＡＤＤＳ転送メッセージを使用して受信されうる。
【００８５】
[0097]  別のオプショナルな態様では、ブロック８１２において、ネットワークエンティティは、ＵＳＳＤセッションリリースメッセージの受信に応答してＵＳＳＤセッションを送りうる。ある態様では、送信モジュール９０８は、ＵＳＳＤ ＧＷにＵＳＳＤセッションリリースを送るように構成されうる。
【００８６】
[0098]  図９は、例示的な装置９０２内の異なるモジュール／手段／構成要素間のデータフローを例示する概念的なデータフロー図９００である。装置はＭＳＣでありうる。図８に関連して述べられたように、装置は、受信モジュール９０４、ＵＳＳＤ共通チャネル処理モジュール９０６、および送信モジュール９０８を含む。
【００８７】
[0099]  ある動作態様では、装置９０２は、受信モジュール９０４を介して、共通チャネルを使用して情報エレメントをＭＳに通信するよう装置９０２に促すサービスインジケータを含むＵＳＳＤベースのメッセージ９２０をＵＳＳＤ ＧＷから受信しうる。受信モジュール９０４は、処理のために、ＵＳＳＤベースのメッセージ９２０をＵＳＳＤ共通チャネル処理モジュール９０６に提供しうる。ある態様では、ＵＳＳＤ共通チャネル処理モジュール９０６は、ＵＳＳＤベースのメッセージ９２０に含まれる情報エレメントが、共通チャネルを使用してＭＳに通信されるべきであるかどうかを決定しうる。情報エレメントが共通チャネルを使用してＭＳに通信されるべきであるという決定を受けて、ＵＳＳＤ共通チャネル処理モジュール９０６は、送信モジュール９０８を介して、共通チャネルを使用してＭＳに送信されるべき情報エレメントを基地局１０８に送りうる。さらに、あるオプショナルな動作態様では、装置９０２は、情報エレメントがＭＳによって成功裏に受信されたことを示す肯定応答９２４を、受信モジュール９０４を介して基地局１０８から受信しうる。肯定応答９２４は、ＵＳＳＤ共通チャネル処理モジュールによって処理され、送信モジュール９２４を介してＵＳＳＤ ＧＷ１１７に送られうる。
【００８８】
[00100]  装置は、図３、４、および８の前述の呼フローおよび／またはフローチャートにおけるアルゴリズムのステップの各々を実行する追加のモジュールを含みうる。このように、前述の図３、４、および８における各ブロックは、モジュールによって実行され得、装置は、それらのモジュールのうちの１つまたは複数を含みうる。モジュールは、説明されたプロセス／アルゴリズムを実行するように特に構成され、説明されたプロセス／アルゴリズムを実行するように構成されたプロセッサによって実現され、プロセッサによる実現のためにコンピュータ可読媒体内に記憶され、またはそれらの何らかの組み合わせである、１つまたは複数のハードウェア構成要素でありうる。
【００８９】
[00101]  図１０は、処理システム１０１４を用いる装置９０２'のためのハードウェア実現の例を例示する図１０００である。処理システム１０１４は、概してバス１０２４で表されるバスアーキテクチャを用いて実現されうる。バス１０２４は、処理システム１０１４の特定の用途と設計制約全体に依存して、任意の数の相互接続バスおよびブリッジを含みうる。バス１０２４は、プロセッサ１００４、モジュール９０４、９０６、９０８、およびコンピュータ可読媒体１００６で表される、１つまたは複数のプロセッサおよび／またはハードウェアモジュールを含む様々な回路を互いにリンクさせる。バス１０２４はまた、タイミングソース、周辺機器、電圧レギュレータ、および電力管理回路のような様々な他の回路をリンクさせることができるが、これらは、当技術分野では周知であるためこれ以上説明されないであろう。
【００９０】
[00102]  処理システム１０１４は、トランシーバ１０１０に結合されうる。トランシーバ１０１０は、１つまたは複数のアンテナ１０２０に結合される。トランシーバ１０１０は、送信媒体を通して様々な他の装置と通信するための手段を提供する。処理システム１０１４は、コンピュータ可読媒体１００６に結合されたプロセッサ１００４を含む。プロセッサ１００４は、コンピュータ可読媒体１００６に記憶されたソフトウェアの実行を含む、汎用処理を担う。ソフトウェアは、プロセッサ１００４によって実行されるとき、処理システム１０１４に、任意の特定の装置に関して先に述べた様々な機能を実行させる。コンピュータ可読媒体１００６はまた、ソフトウェアを実行するときにプロセッサ１００４によって操作されるデータを記憶するために使用されうる。処理システムはさらに、モジュール９０４、９０６、および９０８のうちの少なくとも１つを含む。モジュールは、プロセッサ１００４において稼働しており、コンピュータ可読媒体１００６に存在し／記憶されたソフトウェアモジュール、プロセッサ１００４に結合された１つまたは複数のハードウェアモジュール、またはそれらの何らかの組み合わせでありうる。処理システム１０１４は、ネットワークエンティティ２１０の構成要素であり得、メモリ２７６、および／またはＴＸプロセッサ２１６、ＲＸプロセッサ２７０、およびコントローラ／プロセッサ２７５のうちの少なくとも１つを含みうる。
【００９１】
[00103]  一構成では、ワイヤレス通信のための装置９０２／９０２'は、共通チャネルを使用して情報エレメントをＭＳに通信するようＭＳＣに促すサービスインジケータを含むＵＳＳＤベースのメッセージをＵＳＳＤ ＧＷから受信するための手段と、情報エレメントが共通チャネルを使用してＭＳに通信されるべきであることを決定するための手段と、共通チャネルを使用してＭＳに送信されるべき情報エレメントを基地局に送るための手段を含む。ある態様では、装置９０２／９０２'は、情報エレメントがＭＳによって成功裏に受信されたことを示す肯定応答を基地局から受信するための手段をさらに提供しうる。ある態様では、肯定応答は、ＵＳＳＤセッションをリリースするようＵＳＳＤ ＧＷに促すためのＵＳＳＤセッションリリース情報エレメントを含みうる。ある態様では、装置９０２／９０２'は、ＵＳＳＤセッションをリリースするようＵＳＳＤ ＧＷに促すためのＵＳＳＤセッションリリースメッセージを受信するための手段と、ＵＳＳＤセッションリリースメッセージの受信に応答してＵＳＳＤセッションを送るための手段をさらに提供しうる。前述の手段は、前述の手段によって説明された機能を実行するように構成された、装置９０２の前述のモジュールおよび／または装置９０２'の処理システム１０１４のうちの１つまたは複数でありうる。先に述べたように、処理システム１０１４は、ＴＸプロセッサ２１６、ＲＸプロセッサ２７０、およびコントローラ／プロセッサ２７５を含みうる。このように、一構成では、前述の手段は、前述の手段によって説明された機能を実行するように構成された、ＴＸプロセッサ２１６、ＲＸプロセッサ２７０、コントローラ／プロセッサ２７５でありうる。
【００９２】
[00104]  図１１は、ワイヤレス通信の方法のフローチャート１１００である。方法は、ＭＳ（例えば、ＵＥ１１０）によって実行されうる。
【００９３】
[00105]  ブロック１１０２において、ＵＥは、共通チャネルを使用して、情報エレメントを有するＵＳＳＤベースのメッセージを受信しうる。ある態様では、受信モジュール１２０４は、ＵＳＳＤベースのメッセージを受信するように構成されうる。ある態様では、ＵＳＳＤベースのメッセージは、ＵＳＳＤ ＤＢＭであり得、情報エレメントは、ＵＳＳＤ通知情報エレメントでありうる。
【００９４】
[00106]  ブロック１１０４において、ＵＥは、情報エレメントを処理しうる。ある態様では、ＵＳＳＤ制御チャネル処理モジュール１２０６は、情報エレメントを処理するように構成されうる。例えば、ある態様では、ＵＳＳＤベースのメッセージは、Ｍ２Ｍトリガリングメッセージを含みうる。
【００９５】
[00107]  ブロック１１０６において、ＵＥは、情報エレメントが成功裏に処理されたことを示す肯定応答を送信しうる。ある態様では、肯定応答は、送信モジュール１２０８を使用して送信されうる。別の態様では、肯定応答は、ＵＳＳＤセッションをリリースするようＵＳＳＤ ＧＷに促すためのＵＳＳＤセッションリリース情報エレメントを含みうる。そのような態様では、ＵＳＳＤセッションリリース情報エレメントは、ＵＳＳＤセッションリリースモジュール１２０７によって生成されうる。
【００９６】
[00108]  あるオプショナルな態様では、ブロック１１０８において、ＵＥは、アクセスチャネルを使用してＵＳＳＤセッションリリースメッセージを送信しうる。そのような態様では、ＵＳＳＤセッションリリースメッセージは、ＵＳＳＤセッションリリースモジュール１２０７を使用して生成され、送信モジュール１２０８を使用して送信されうる。
【００９７】
[00109]  図１２は、例示的な装置１２０２内の異なるモジュール／手段／構成要素間のデータフローを例示する概念的なデータフロー図１２００である。装置は、ＵＥ（例えば、ＭＳ）でありうる。図１１に関連して述べられたように、装置は、受信モジュール１２０４、ＵＳＳＤ共通チャネル処理モジュール１２０６、ＵＳＳＤセッションリリースモジュール１２０７、および送信モジュール１２０８を含む。
【００９８】
[00110]  ある動作態様では、装置１２０２は、受信モジュール１２０４を介して、共通チャネルを使用して、情報エレメントを有するＵＳＳＤベースのメッセージ１２２０を受信しうる。受信モジュール１２０４は、処理のために、情報エレメントを有するＵＳＳＤベースのメッセージ１２２０をＵＳＳＤ共通チャネル処理モジュール１２０６に提供しうる。ＵＳＳＤ共通チャネル処理モジュール１２０６は、ＵＳＳＤベースのメッセージ１２２０に関連付けられた情報エレメントを処理しうる。さらに、ＵＳＳＤ共通チャネル処理モジュール１２０６は、ＵＳＳＤセッションが完了したことを決定し、ＵＳＳＤセッションをリリースするようＵＳＳＤ ＧＷに促すためのＵＳＳＤセッションリリース情報エレメント１２２２を生成するようＵＳＳＤセッションリリースモジュール１２０７に促しうる。ＵＳＳＤセッションリリース情報エレメント１２２は、肯定応答１２２４に含まれ、ＵＳＳＤ ＧＷへの通信のために、送信モジュール１２０８を介して基地局１０８に送信されうる。
【００９９】
[00111]  装置は、図３、４、および１１の前述の呼フローおよび／またはフローチャートにおけるアルゴリズムのステップの各々を実行する追加のモジュールを含みうる。このように、前述の図３、４、および１１における各ブロックは、モジュールによって実行され得、装置は、それらのモジュールのうちの１つまたは複数を含みうる。モジュールは、説明されたプロセス／アルゴリズムを実行するように特に構成され、説明されたプロセス／アルゴリズムを実行するように構成されたプロセッサによって実現され、プロセッサによる実現のためにコンピュータ可読媒体内に記憶され、またはそれらの何らかの組み合わせである、１つまたは複数のハードウェア構成要素でありうる。
【０１００】
[00112]  図１３は、処理システム１３１４を用いる装置１２０２'のためのハードウェア実現の例を例示する図１３００である。処理システム１３１４は、概してバス１３２４によって表されるバスアーキテクチャを用いて実現されうる。バス１３２４は、処理システム１３１４の特定の用途と設計制約全体に依存して、任意の数の相互接続バスおよびブリッジを含みうる。バス１３２４は、プロセッサ１３０４、モジュール１２０４、１２０６、１２０７、１２０８、およびコンピュータ可読媒体１３０６で表される、１つまたは複数のプロセッサおよび／またはハードウェアモジュールを含む様々な回路を互いにリンクさせる。バス１３２４はまた、タイミングソース、周辺機器、電圧レギュレータ、および電力管理回路のような様々な他の回路をリンクさせることができるが、これらは、当技術分野では周知であるためこれ以上説明されないであろう。
【０１０１】
[00113]  処理システム１３１４は、トランシーバ１３１０に結合されうる。トランシーバ１３１０は、１つまたは複数のアンテナ１３２０に結合される。トランシーバ１３１０は、送信媒体を通して様々な他の装置と通信するための手段を提供する。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む、汎用処理を担う。ソフトウェアは、プロセッサ１３０４によって実行されるとき、処理システム１３１４に、任意の特定の装置に関して先に述べた様々な機能を実行させる。コンピュータ可読媒体１３０６はまた、ソフトウェアを実行するときにプロセッサ１３０４によって操作されるデータを記憶するために使用されうる。処理システムはさらに、モジュール１２０４、１２０６、１２０７、および１２０８のうちの少なくとも１つを含む。モジュールは、プロセッサ１３０４において稼働しており、コンピュータ可読媒体１３０６に存在し／記憶されたソフトウェアモジュール、プロセッサ１３０４に結合された１つまたは複数のハードウェアモジュール、またはそれらの何らかの組み合わせでありうる。処理システム１３１４は、ＵＥ２５０の構成要素であり得、メモリ２６０、および／またはＴＸプロセッサ２６８、ＲＸプロセッサ２５６、およびコントローラ／プロセッサ２５９のうちの少なくとも１つを含みうる。
【０１０２】
[00114]  一構成では、ワイヤレス通信のための装置１２０２／１２０２'は、共通チャネルを使用して、情報エレメントを有するＵＳＳＤベースのメッセージを受信するための手段と、情報エレメントを処理するための手段と、情報エレメントが成功裏に処理されたことを示す肯定応答を送信するための手段とを含む。ある態様では、装置１２０２／１２０２'は、アクセスチャネルを使用して、ＵＳＳＤセッションリリースメッセージを送信するための手段をさらに提供しうる。前述の手段は、前述の手段によって説明された機能を実行するように構成された装置１２０２の前述のモジュール、および／または、装置１２０２’の処理システム１３１４のうちの１つまたは複数でありうる。先に述べたように、処理システム１３１４は、ＴＸプロセッサ２６８、ＲＸプロセッサ２５６、コントローラ／プロセッサ２５９を含みうる。このように、一構成では、前述の手段は、前述の手段によって説明された機能を実行するように構成された、ＴＸプロセッサ２６８、ＲＸプロセッサ２５６、コントローラ／プロセッサ２５９でありうる。
【０１０３】
[00115]  開示されたプロセスにおけるステップの特定の順序または階層は、例示的なアプローチの一例であることは理解されるべきである。設計の選好に基づいて、これらのプロセスにおけるステップの特定の順序または階層は並べ替えられうることは理解される。さらに、いくつかのステップが組み合されるかまたは省略されうる。添付の方法の請求項は、様々なステップのエレメントを１つの例示的な（sample）順序で示し、それらが提示された特定の順序または階層に限定されることは意味されない。
【０１０４】
[00116]  先の説明は、当業者に、本明細書に説明された様々な態様の実施を可能にさせるために提供されている。これらの態様に対する様々な変更は、当業者には容易に明らかになり、本明細書において定義された包括的な原理は、他の態様に適用されうる。したがって、特許請求の範囲は、本明細書に示された態様に限定されることを目的とするものではなく、特許請求の範囲における文言と一致する全適用範囲を付与されるべきものである。ここで、単数形のエレメントへの参照は、別途明記されていない限り、「１つ、および１つのみ」を意味することを目的としておらず、むしろ「１つまたは複数」を意味する。別途明記されていない限り、「何らかの／いくつかの」という用語は、１つまたは複数を指す。当業者に周知であるか後に周知となる、本開示全体にわたって説明された様々な態様のエレメントと構造的および機能的に同等なものはすべて、参照によって本明細書に明確に組み込まれ、特許請求の範囲に包含されることを目的としている。さらに、本明細書におけるどの開示も、そのような開示が特許請求の範囲に明示的に記載されているかどうかに関わらず、公に献呈されることを目的とするものではない。いずれの特許請求項のエレメントも、そのエレメントが「〜ための手段」という表現を使用して明記されていない限り、手段プラス機能（means plus function）として解釈されるべきではない。
以下に本願発明の当初の特許請求の範囲に記載された発明を付記する。
［Ｃ１］
通信の方法であって、
非構造化付加サービスデータ（ＵＳＳＤ）ベースのメッセージは共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）が送ることと
を備える方法。
［Ｃ２］
前記情報エレメントが前記ＭＳによって成功裏に受信されたことを示す肯定応答を前記ＭＳＣから受信することをさらに備える、Ｃ１に記載の方法。
［Ｃ３］
前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとをさらに備える、Ｃ２に記載の方法。
［Ｃ４］
前記肯定応答は、前記ＵＳＳＤセッションをリリースするよう前記ＵＳＳＤ ＧＷに促すためのＵＳＳＤセッションリリース情報エレメントと、前記ＵＳＳＤセッションリリース情報エレメントの受信に応答して前記ＵＳＳＤセッションをリリースすることを含む、Ｃ２に記載の方法。
［Ｃ５］
前記送ることは、タイマを開始することをさらに備え、前記受信することは、前記タイマを停止することをさらに備える、Ｃ２に記載の方法。
［Ｃ６］
前記ＭＳについてのアドレスを求める要求をホームロケーションレジスタ（ＨＬＲ）に送ることと、前記ＭＳについての前記アドレスを含むメッセージを前記ＨＬＲから受信することとをさらに備える、Ｃ１に記載の方法。
［Ｃ７］
前記メッセージは、マシン・ツー・マシン（Ｍ２Ｍ）トリガリングメッセージである、Ｃ１に記載の方法。
［Ｃ８］
前記ＵＳＤベースのメッセージは、ＵＳＳＤデータバーストメッセージ（ＤＢＭ）であり、前記情報エレメントは、ＵＳＳＤ通知情報エレメントである、Ｃ１に記載の方法。
［Ｃ９］
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、Ｃ１に記載の方法。
［Ｃ１０］
前記ＵＳＳＤベースのメッセージは、前記情報エレメントのサイズが閾値サイズよりも小さいときに前記共通チャネルを使用して通信されることが可能であると決定される、Ｃ１に記載の方法。
［Ｃ１１］
前記ＵＳＳＤベースのメッセージが、前記共通チャネルを使用して通信されるべきかアクセスチャネルを使用して通信されるべきかを判定することをさらに備え、前記決定することは、前記判定に基づいて前記共通チャネルを使用すると決定することをさらに備える、Ｃ１に記載の方法。
［Ｃ１２］
通信の方法であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣが受信することと、
前記情報エレメントが前記共通チャネルを使用して前記ＭＳに通信されるべきであると決定することと、
前記共通チャネルを使用して前記ＭＳに送信されるべき前記情報エレメントを基地局に送ることと
を備える方法。
［Ｃ１３］
前記情報エレメントが前記ＭＳによって成功裏に受信されたことを示す肯定応答を前記基地局から受信することをさらに備える、Ｃ１２に記載の方法。
［Ｃ１４］
ＵＳＳＤセッションをリリースするよう前記ＵＳＳＤ ＧＷに促すためのＵＳＳＤセッションリリースメッセージを受信することと、前記ＵＳＳＤセッションを前記ＵＳＳＤＧＷに送ることとをさらに備える、Ｃ１３に記載の方法。
［Ｃ１５］
前記ＵＳＳＤセッションリリースメッセージは、ＡＤＤＳ転送メッセージを使用して受信される、Ｃ１４に記載の方法。
［Ｃ１６］
前記肯定応答は、ＵＳＳＤセッションをリリースするよう前記ＵＳＳＤ ＧＷに促すためのＵＳＳＤセッションリリース情報エレメントと、前記ＵＳＳＤセッションリリースメッセージの受信に応答して前記ＵＳＳＤセッションを送ることとを含む、Ｃ１３に記載の方法。
［Ｃ１７］
前記情報エレメントは、ＡＤＤＳページメッセージを使用して前記基地局に送られる、Ｃ１２に記載の方法。
［Ｃ１８］
前記ＵＳＳＤベースのメッセージは、ＳＭＳ配信ポイントツーポイント（ＳＭＤＰＰ）フォーマットを使用して前記ＵＳＳＤ ＧＷから受信される、Ｃ１２に記載の方法。
［Ｃ１９］
前記サービスインジケータは、符号分割多元接続（ＣＤＭＡ）Ｍ２Ｍサービスインジケータである、Ｃ１２に記載の方法。
［Ｃ２０］
前記ＵＳＳＤベースのメッセージは、ＵＳＳＤデータバーストメッセージ（ＤＢＭ）であり、前記情報エレメントは、ＵＳＳＤ通知情報エレメントである、Ｃ１２に記載の方法。
［Ｃ２１］
通信の方法であって、
共通チャネルを使用して、情報エレメントを有する非構造化付加サービスデータ（ＵＳＳＤ）ベースのメッセージをモバイル局（ＭＳ）が受信することと、
前記情報エレメントを処理することと、
前記情報エレメントが成功裏に処理されたことを示す肯定応答を送信することと
を備える方法。
［Ｃ２２］
アクセスチャネルを使用してＵＳＳＤセッションリリースメッセージを送信することをさらに備える、Ｃ２１に記載の方法。
［Ｃ２３］
前記肯定応答は、ＵＳＳＤセッションをリリースするようＵＳＳＤ ＧＷに促すためのＵＳＳＤセッションリリース情報エレメントを含む、Ｃ２１に記載の方法。
［Ｃ２４］
前記ＵＳＳＤベースのメッセージは、ＵＳＳＤデータバーストメッセージ（ＤＢＭ）であり、前記情報エレメントは、ＵＳＳＤ通知情報エレメントである、Ｃ２１に記載の方法。
［Ｃ２５］
通信のための装置であって、
非構造化付加サービスデータ（ＵＳＳＤ）ベースのメッセージが共通チャネルを使用して通信されることが可能であると決定するための手段と、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送るための手段と
を備える装置。
［Ｃ２６］
通信のための装置であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信するための手段と、
前記情報エレメントが、前記共通チャネルを使用して前記ＭＳに通信されるべきであると決定するための手段と、
前記共通チャネルを使用して前記ＭＳに送信されるべき前記情報エレメントを基地局に送るための手段と、
を備える装置。
［Ｃ２７］
通信のための装置であって、
共通チャネルを使用して、情報エレメントを有する非構造化付加サービスデータ（ＵＳＳＤ）ベースのメッセージをモバイル局（ＭＳ）によって受信するための手段と、
前記情報エレメントを処理するための手段と、
前記情報エレメントが成功裏に処理されたことを示す肯定応答を送信するための手段と
を備える装置。
［Ｃ２８］
非一時的コンピュータ可読媒体を備えるコンピュータプログラム製品であって、
前記非一時的コンピュータ可読媒体は、
非構造化付加サービスデータ（ＵＳＳＤ）ベースのメッセージが共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送ることと
を行うためのコードを備える、コンピュータプログラム製品。
［Ｃ２９］
非一時的コンピュータ可読媒体を備えるコンピュータプログラム製品であって、
前記非一時的コンピュータ可読媒体は、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信することと、
前記情報エレメントが、前記共通チャネルを使用して前記ＭＳに通信されるべきであると決定することと、
前記共通チャネルを使用して前記ＭＳに送信されるべき前記情報エレメントを基地局に送ることと
を行うためのコードを備える、コンピュータプログラム製品。
［Ｃ３０］
非一時的コンピュータ可読媒体を備えるコンピュータプログラム製品であって、
前記非一時的コンピュータ可読媒体は、
共通チャネルを使用して、情報エレメントを有する非構造化付加サービスデータ（ＵＳＳＤ）ベースのメッセージをモバイル局（ＭＳ）によって受信することと、
前記情報エレメントを処理することと、
前記情報エレメントが成功裏に処理されたことを示す肯定応答を送信することと
を行うためのコードを備える、コンピュータプログラム製品。
［Ｃ３１］
通信のための装置であって、
非構造化付加サービスデータ（ＵＳＳＤ）ベースのメッセージが共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送ることと
を行うように構成された処理システム
を備える、装置。
［Ｃ３２］
前記処理システムは、前記情報エレメントが前記ＭＳによって成功裏に受信されたことを示す肯定応答を前記ＭＳＣから受信するようにさらに構成される、Ｃ３１に記載の装置。
［Ｃ３３］
前記処理システムは、前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとを行うようにさらに構成される、Ｃ３２に記載の装置。
［Ｃ３４］
前記肯定応答は、前記ＵＳＳＤセッションをリリースするよう前記ＵＳＳＤ ＧＷに促すためのＵＳＳＤセッションリリース情報エレメントを含み、前記処理システムは、前記ＵＳＳＤセッションリリース情報エレメントの受信に応答して前記ＵＳＳＤセッションをリリースするようにさらに構成される、Ｃ３２に記載の装置。
［Ｃ３５］
前記処理システムは、タイマを開始することと、前記タイマを停止することとを行うようにさらに構成される、Ｃ３２に記載の装置。
［Ｃ３６］
前記処理システムは、前記ＭＳについてのアドレスを求める要求をホームロケーションレジスタ（ＨＬＲ）に送ることと、前記ＭＳについての前記アドレスを含むメッセージを前記ＨＬＲから受信することとを行うようにさらに構成される、Ｃ３１に記載の装置。
［Ｃ３７］
前記メッセージは、マシン・ツー・マシン（Ｍ２Ｍ）トリガリングメッセージである、Ｃ３１に記載の装置。
［Ｃ３８］
前記ＵＳＤベースのメッセージは、ＵＳＳＤデータバーストメッセージ（ＤＢＭ）であり、前記情報エレメントは、ＵＳＳＤ通知情報エレメントである、Ｃ３１に記載の装置。
［Ｃ３９］
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、Ｃ３１に記載の装置。
［Ｃ４０］
前記ＵＳＳＤベースのメッセージは、前記情報エレメントのサイズが閾値サイズよりも小さいときに前記共通チャネルを使用して通信されることが可能であると決定される、Ｃ３１に記載の装置。
［Ｃ４１］
前記処理システムは、前記ＵＳＳＤベースのメッセージが、前記共通チャネルを使用して通信されるべきかアクセスチャネルを使用して通信されるべきかを判定することと、前記判定に基づいて前記共通チャネルを使用すると決定することとを行うようにさらに構成される、Ｃ３１に記載の装置。
［Ｃ４２］
通信のための装置であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信することと、
前記情報エレメントが前記共通チャネルを使用して前記ＭＳに通信されるべきであると決定することと、
前記共通チャネルを使用して前記ＭＳに送信されるべき前記情報エレメントを基地局に送ることと
を行うように構成された処理システム
を備える、装置。
［Ｃ４３］
前記処理システムは、前記情報エレメントが前記ＭＳによって成功裏に受信されたことを示す肯定応答を前記基地局から受信するようにさらに構成される、Ｃ４２に記載の装置。
［Ｃ４４］
前記処理システムは、ＵＳＳＤセッションをリリースするよう前記ＵＳＳＤ ＧＷに促すためのＵＳＳＤセッションリリースメッセージを受信することと、前記ＵＳＳＤ ＧＷに前記ＵＳＳＤを送ることとを行うようにさらに構成される、Ｃ４３に記載の装置。
［Ｃ４５］
前記ＵＳＳＤセッションリリースメッセージは、ＡＤＤＳ転送メッセージを使用して受信される、Ｃ４４に記載の装置。
［Ｃ４６］
前記肯定応答は、ＵＳＳＤセッションをリリースするよう前記ＵＳＳＤ ＧＷに促すためのＵＳＳＤセッションリリース情報エレメントを含み、前記処理システムは、前記ＵＳＳＤセッションリリースメッセージの受信に応答して前記ＵＳＳＤセッションを送るようにさらに構成される、Ｃ４３に記載の装置。
［Ｃ４７］
前記情報エレメントは、ＡＤＤＳページメッセージを使用して前記基地局に送られる、Ｃ４２に記載の装置。
［Ｃ４８］
前記ＵＳＳＤベースのメッセージは、ＳＭＳ配信ポイントツーポイント（ＳＭＤＰＰ）フォーマットを使用して前記ＵＳＳＤ ＧＷから受信される、Ｃ４２に記載の装置。
［Ｃ４９］
前記サービスインジケータは、符号分割多元接続（ＣＤＭＡ）Ｍ２Ｍサービスインジケータである、Ｃ４２に記載の装置。
［Ｃ５０］
前記ＵＳＳＤベースのメッセージは、ＵＳＳＤデータバーストメッセージ（ＤＢＭ）であり、前記情報エレメントは、ＵＳＳＤ通知情報エレメントである、Ｃ４２に記載の装置。
［Ｃ５１］
通信のための装置であって、
共通チャネルを使用して、情報エレメントを有する非構造化付加サービスデータ（ＵＳＳＤ）ベースのメッセージをモバイル局（ＭＳ）によって受信することと、
前記情報エレメントを処理することと、
前記情報エレメントが成功裏に処理されたことを示す肯定応答を送信することと
を行うように構成された処理システム
を備える、装置。
［Ｃ５２］
前記処理システムは、アクセスチャネルを使用して、ＵＳＳＤセッションリリースメッセージを送信するようにさらに構成される、Ｃ５１に記載の装置。
［Ｃ５３］
前記肯定応答は、ＵＳＳＤセッションをリリースするようＵＳＳＤ ＧＷに促すためのＵＳＳＤセッションリリース情報エレメントを含む、Ｃ５１に記載の装置。
［Ｃ５４］
前記ＵＳＳＤベースのメッセージは、ＵＳＳＤデータバーストメッセージ（ＤＢＭ）であり、前記情報エレメントは、ＵＳＳＤ通知情報エレメントである、Ｃ５１に記載の装置。
【図１】
0006367205.tif 000002
【図２】
0006367205.tif 000003
【図３】
0006367205.tif 000004
【図４】
0006367205.tif 000005
【図５】
0006367205.tif 000006
【図６】
0006367205.tif 000007
【図７】
0006367205.tif 000008
【図８】
0006367205.tif 000009
【図９】
0006367205.tif 000010
【図１０】
0006367205.tif 000011
【図１１】
0006367205.tif 000012
【図１２】
0006367205.tif 000013
【図１３】
0006367205.tif 000014